(57)【要約】【課題】遊技場係員の手作業による回収用器具類を使用することなく、パチンコ遊技場のフロア−にこぼれたパチンコ玉の回収を速やかにしかも効率良く自動的に回収することができるようにしたパチンコの玉こぼれ玉回収装置を提供する。【解決手段】パチンコ台の島下部に配置された玉こぼれ回収装置は、島１００の腰板１５，１５の最下部両側に配置された巾木１６に沿い、複数の電磁石１，１・・からなる電磁石型コンベヤ９を配設する。この電磁石型コンベヤ９により、パチンコのこぼれ玉を付着させて搬送移動し、島１００の適宜個所、例えば島の一隅において搬送されたパチンコ玉を解磁して、パチンコ玉の慣性運動又は自重による落下を利用し、これをパチンコ玉回収容器に受け取り自動的に回収するように構成した。【選択図】  図４
2004167118.tif 000002
【特許請求の範囲】
【請求項１】
パチンコ台の島の最下部に沿って磁性搬送手段を設けたことを特徴とする玉こぼれ回収装置。
【請求項２】
前記磁性搬送手段の端末に隣接してパチンコ玉回収容器を配設したことを特徴とする請求項１に記載の玉こぼれ回収装置。
【請求項３】
前記磁性搬送手段は、複数の電磁石を互いに隣接させて前記島の最下部の適宜区間に沿い帯状に単列又は複列で延設されて形成されることを特徴とする請求項１ないし請求項２のいずれかに記載の玉こぼれ回収装置。
【請求項４】
前記パチンコ玉回収容器は、前記磁性搬送手段からのパチンコ玉を該パチンコ玉回収容器へガイドするガイド部材を有することを特徴とする請求項１ないし請求項３のいずれかに記載の玉こぼれ回収装置。
【請求項５】
前記パチンコ玉回収容器は、前記ゴミ回収箱の中にパチンコ玉回収箱が配設されていることを特徴とする請求項１ないし請求項４のいずれかに記載の玉こぼれ回収装置。
【請求項６】
前記磁性搬送手段の端末の下方に配置されるパチンコ玉回収容器には、パチンコ玉回収用の前記ガイド部材がパチンコ玉回収容器の上流部に配設されていることを特徴とする請求項１ないし請求項５のいずれかに記載の玉こぼれ回収装置。
【請求項７】
前記パチンコ玉回収容器は、その玉入口部に消磁手段が配設されていることを特徴とする請求項１ないし請求項６のいずれかに記載の玉こぼれ回収装置。
【請求項８】
前記パチンコ玉回収用のガイド部材には、消磁手段が形成されていることを特徴とする請求項１ないし請求項７のいずれかに記載の玉こぼれ回収装置。
【発明の詳細な説明】
【０００１】
【発明の属する利用分野】
この発明は、パチンコ遊技場におけるフロア−のこぼれ玉を回収するための装置に関し、詳しくは手作業によらないでこぼれ玉を回収できるようにしたパチンコ遊技場における玉こぼれ回収装置に関するものである。
【０００２】
【従来の技術】
従来、パチンコ遊技場においては、パチンコ玉が遊技場のフロア−にこぼれた玉の回収には、遊技場の係員がフロア−を巡回して手作業により、回収器具等を使用するなどしてパチンコのこぼれ玉を回収していた。このようなパチンコのこぼれ玉の回収は主として遊技場の営業時間内において客が大勢入場し、遊技に熱中しているような時間帯のときに、こぼれ玉の回収作業を行うことが一般的である。このため、特に遊技場の営業時間中におけるこぼれ玉の回収作業では、遊技中の客に遊技を中断させて、こぼれ玉を回収したりして遊技の興趣を害なうような作業は好ましくなく、また、こぼれ玉が遊技場のフロア−に散乱したままの状態では、遊技客がこぼれ玉を踏んだりして転倒する恐れがあることなどから、放置しておくことができず、遊技場の係員が頻繁に場内を巡回して回収作業を行う必要があった。そして、営業時間内のこのようなこぼれ玉の回収は、遊技者の興趣を害わず、また、歩行中などの転倒の危険防止の上からも、速やかに実施できるものでなければならず、したがって、迅速なこぼれ玉の回収に使用される器具が各種提案されている。例えば、このような器具の代表的な例としては、特許文献１に示すような磁石式のパチンコ用玉取り装置、特許文献２に示すような車輪型のパチンコ玉の回収機、そして特許文献３に示すような掃除機型のパチンコ玉回収装置などがある。
【０００３】
【特許文献１】
特開平６−２６１９８１号公報（第１頁、第１図）
【特許文献２】
特許平８−１３１６４７号公報（第３頁、第１図）
【特許文献３】
特開２０００−２３７４４３号公報（第２頁、第１図）
【０００４】
【発明が解決しようとする課題】
上記従来の技術において、例えば、特許文献１の発明では、該特許文献１の図１に示すように、ピストル形に形成した把持部１からパイプ製のアーム２を延設し、このアーム先端に回動可能に吸着ヘッド３を取着し、この吸着ヘッド内に磁石４を配装し、該磁石４を連結杆５を介して把持部内の操作片６に連結してヘッド底部３ａから引き離し可能に構成し、前記ヘッド底部３ａを吸着ヘッド３の底部開口に着脱自在に取着した底蓋７に形成し、吸着ヘッド３の一側面で底蓋７から支持部材８を突設し、該支持部材８に遊転自在に転輪９を取着し、該転輪下部をヘッド底部外面延長平面に合致させたパチンコ用玉取り装置が開示されている。しかしながら、この発明では、吸着ヘッド３の向きを変えるだけで、フロアー面に散乱する玉を収拾することができる利点を有するものの、その収拾作業の都度、遊技場係員の手を煩わせなければならないという問題がある。また、特許文献２の発明では、該特許文献２の図１に示すように、棹部３と、該棹部３に連結部５及び枠体２４を介して接続される収集部２とからなり、車輪の回転に連動して回転しパチンコ玉を収集するフィン部２２と、該フィン部２２の内部に配設された磁石２７と、パチンコ玉を回収する回収部２５をとを設けたパチンコ玉の回収機が開示されており、フロアー面に散乱するパチンコ玉を効率良く、かつ安全、衛生的に収拾する利点を有するものの、前記従来例と同様、その収拾作業の都度、遊技場係員の手を煩わせなければならないという問題がある。特許文献３の発明では、該文献図１に示すように、台車１上に載置された密閉状態の玉回収室２に、内径をパチンコ玉の径より僅かに大きくした玉吸引チューブ４と掃除機本体１００の吸引チューブ１０１の先端ノズル部１０２とを接続したパチンコ玉回収装置が開示されている。この発明でも、前記各従来例と同様、フロア−に零れ落ちたパチンコ玉の回収作業の都度、遊技場係員の手を煩わせなければならないという問題があった。さらに、これらの回収装置又は器具では、こぼれたパチンコ玉が狭所に入り込んだ場合は非常に回収がし難いという問題があった。
【０００５】
上記問題に鑑み、本発明の解決しようとする課題は、遊技場係員の手を煩わせるような手作業による回収用器具類を使用することなく、パチンコ遊技場のフロア−にこぼれたパチンコ玉の回収を速やかにしかも効率良く自動的に回収することができるようにしたパチンコの玉こぼれ回収装置を提供することを目的とするものである。
【０００６】
【課題を解決するための手段】
本発明は上記の課題を解決する為になされたものであり、その解決の為に講じた本発明の手段と、その作用は次のとおりである。
【０００７】
請求項１では、パチンコ台の島の最下部に沿って磁性搬送手段を設けた玉こぼれ回収装置を提案する。
【０００８】
（作用）
該構成により、パチンコのこぼれ玉を磁性搬送手段に付着又は転動誘導させつつ搬送移動し、島の適宜個所において前記磁性搬送手段に付着又は転動誘導されて搬送させ、自動的に回収することができる。
【０００９】
請求項２では、請求項１の玉こぼれ回収装置において、磁性搬送手段の端末に隣接してパチンコ玉回収容器を配設した玉こぼれ回収装置を提案する。
【００１０】
（作用）
該構成により、パチンコのこぼれ玉を磁性搬送手段に付着又は転動誘導させつつ搬送移動し、島の適宜個所において前記磁性搬送手段に付着又は転動誘導されて搬送されたパチンコ玉を解磁してパチンコ玉回収容器へ導入させ、自動的に回収することができる。
【００１１】
請求項３では、請求項１ないし請求項２のいずれかの玉こぼれ回収装置において、前記磁性搬送手段は、複数の電磁石を互いに隣接させて前記島の最下部の適宜区間に沿い帯状に単列又は複列で延設されて形成される玉こぼれ回収装置を提案する。
【００１２】
（作用）
該構成により、磁性搬送手段を構成する個々の電磁石を小幅のサイズに形成することにより、通電のオン・オフでパチンコ玉を効率良く搬送移動することができるので、こぼれ玉の迅速な搬送による回収を可能とすることができる。
【００１３】
請求項４では、請求項１ないし請求項３のいずれかの玉こぼれ回収装置において、前記パチンコ玉回収容器は、前記磁性搬送手段からのパチンコ玉を該パチンコ玉回収容器へガイドするガイド部材を有する玉こぼれ回収装置を提案する。
【００１４】
（作用）
該構成により、磁性搬送手段により搬送されたパチンコのこぼれ玉をパチンコ玉回収容器へガイド部材によりガイドして確実にパチンコ玉回収容器に回収することができる。
【００１５】
請求項５では、請求項１ないし請求項４のいずれかの玉こぼれ回収装置において、前記パチンコ玉回収容器は、前記ゴミ回収箱の中にパチンコ玉回収箱が配設されている玉こぼれ回収装置を提案する。
【００１６】
（作用）
該構成により、磁性搬送手段により集められたパチンコのこぼれ玉を回収するパチンコ玉回収容器は、ゴミ回収箱の中にパチンコ玉回収箱が配設されるものを使用することができるので、パチンコ玉回収容器の設置スペースの効率化を図ることができると共に、パチンコ玉とは別に分別するゴミ回収箱により磁性ゴミ等のゴミだけを自動的に回収することができるようにした。
【００１７】
請求項６では、請求項１ないし請求項５のいずれかの玉こぼれ回収装置において、前記磁性搬送手段の端末の下方に配置されるパチンコ玉回収容器には、パチンコ玉回収用のガイド部材がパチンコ玉回収容器の上流部に配設されている玉こぼれ回収装置を提案する。
【００１８】
（作用）
該構成により、磁性搬送手段の端末の電磁石の励磁を解磁することにより、搬送移動されたパチンコ玉をパチンコ玉回収容器へガイドするための手段にパチンコ玉の慣性及び自重を利用する簡単な構造のパチンコ玉回収用のガイド部材を用いることができるので、構造が簡単であり、パチンコ玉回収容器の取り出し等の扱いもし易い。
【００１９】
請求項７では、請求項１ないし請求項６のいずれかの玉こぼれ回収装置において、前記パチンコ玉回収容器は、その玉入口部に消磁手段が配設されている玉こぼれ回収装置を提案する。
【００２０】
（作用）
該構成により、パチンコのこぼれ玉を前記磁性搬送手段に付着又は転動誘導させつつ搬送移動し、島の適宜個所において前記磁性搬送手段で搬送されたパチンコ玉を慣性又は自重により、落下させたパチンコ玉を自動的に回収するようにすると共に、帯磁したままのパチンコ玉やゴミ等を消磁手段により消磁して、帯磁による不都合な影響を解消することができるようにした。
【００２１】
請求項８では、請求項１ないし請求項７のいずれかの玉こぼれ回収装置において、前記パチンコ玉回収用のガイド部材には、消磁手段が形成されている玉こぼれ回収装置を提案する。
【００２２】
（作用）
該構成により、前記パチンコ玉回収用のガイド部材には消磁手段が形成されているので、こぼれ玉回収用のパチンコ玉回収容器内に消磁手段を設ける必要がなく、パチンコ玉回収容器は簡単な構造のものを使用することができるとともに、前記消磁手段へ通電するための電気的配線の構造も簡単な構造とすることができる。
【００２３】
【本発明の実施の形態】
図１は、パチンコ遊技場内に設置したパチンコ台の島の斜視図である。図１に示すように、パチンコ台の島１００は、遊技場内においては複数ヶ所に設置されるものであり、それぞれのパチンコ台の島１００は、ほぼ同様の構造に形成されているのが一般的である。パチンコ台の島１００は、複数のパチンコ機３０，３０・・が隣接配置されると共に、島１００の長手方向に沿い、その両側に背中合わせの状態でパチンコ機３０，３０・・が並列配置されている。
【００２４】
パチンコ遊技場は、一般に限られた敷地内に設けられている。この限られた敷地内にできるだけ多数のパチンコ機３０，３０・・を設置するために、島１００の幅寸法は可及的に小さくなるように設定されている。さらに、パチンコ遊技機が並列配置された島１００は、パチンコ遊技場の壁部に沿って設けられることもあるが、通常は遊技客通路間に設けられている。したがって、遊技客通路間に設けられるパチンコ機の島１００は、パチンコ機３０，３０・・が島１００本体の両側に背中合わせとなる状態に配置して構成されている。
【００２５】
（パチンコ台の島の概略構成）
パチンコ台の島１００は、背中合わせに並列配置された複数のパチンコ機３０，３０・・と、これらのパチンコ機３０，３０・・を支持するための島本体枠９０とを備えている。この島本体枠９０は、パチンコ遊技場のフロア−に固定される複数の支持枠９１と、これらの支持枠９１の下部に取り付けられる腰板１５とを備えている。
【００２６】
パチンコ台の島１００の略中央部にパチンコ玉揚送研磨機４０が設けられており、パチンコ台の島１００内において該パチンコ玉揚送研磨機４０の下方に集められたパチンコ玉を該パチンコ玉揚送研磨機４０により略フロアー面位置から島上の天井方向へ揚送され、島１００の上部に設置された島上タンク６０に貯留されるように構成されている。島上タンク６０に貯留されたパチンコ玉は、パチンコ台の島１００の両端方向へ向かって下降するように形成された樋内５０に流され、該樋５０を流下することにより個々のパチンコ機３０，３０・・へと供給されるように構成されいる。
【００２７】
島１００の各部構成について説明すると、パチンコ遊技場のフロアー上に腰板１５が対向するように並設してある。この腰板１５は、対向した状態で、複数対を連結して１つの島を構成するものである。腰板１５上にはパチンコ遊技機３０，３０・・が背中合わせに並設され、各腰板１５，１５の外側に遊技者が椅子に座って遊技するようになっている。腰板１５の上には遊技客が主としてセーフ玉の玉入容器を載せておくための膳板１４，１４が設置されている。
【００２８】
島１００に併設された各パチンコ機３０，３０・・から排出されたパチンコ玉は、腰板１５，１５間に設けられた集合樋１８上に落下し、この集合樋１８上の斜面に沿って転がり移動する。そして、これらのパチンコ玉は、パチンコ遊技機３０，３０・・の設置場所により条件が異なるが、幾つかの不図示の傾斜樋やミニリフトを通り、末端に設けてある異物シュートを経て、パチンコ玉揚送研磨機４０の導入口に入っていく。
【００２９】
パチンコ玉揚送研磨機４０で揚送されたパチンコ玉は、頂部の玉排出ヘッドをから該揚送研磨機出口を経て島上タンク６０内に排出され、その中に貯留される。島上タンク６０内に貯留されたパチンコ玉はタンク下部に設けてある供給口から樋５０を経て各パチンコ遊技機３０，３０・・へ供給される。島上タンク６０から各パチンコ遊技機３０，３０・・へのパチンコ玉の移動は、連続して前後が接触した状態、いわゆる数珠繋ぎ状態となって順送りされるため騒音は殆ど生じないものとなっている。こうして、各パチンコ遊技機３０，３０・・上に達したパチンコ玉は賞金玉又は貸し玉として島から離れ、遊技場内のすべての島１００，１００・・のパチンコ遊技機３０，３０・・で使用可能となるものである。
【００３０】
島上タンク６０内のパチンコ玉は、通常は前記したように、各パチンコ遊技機３０，３０・・に供給され、パチンコ玉の循環機構により、順調に島内を循環していれば、過剰になって島上タンク６０から溢れるような事態は生じないように構成されているが、何らかの原因で玉詰まりを起しパチンコ玉がこぼれ落ちることもあり得る。
【００３１】
また、島１００の下部には、パチンコ遊技機３０，３０・・から遊技済みで排出されたパチンコのアウト玉を揚送研磨装置４０へ集めるために集合樋１８が設けられている。集合樋１８は、パチンコ玉を重力により斜面に沿って転がるように、適度の下降傾斜角が設けた構成に設計されている。したがって、島１００の端の妻板１７から下降傾斜面に沿って、島１００の中央部に設置されたパチンコ玉の揚送研磨装置４０へと、前記集合樋１８内を転動移動してパチンコ玉が集められるようになっている。さらに、島１００の妻板１７からは、遊技客が自己の持ち玉を景品交換に際して計数するための玉計数機９６が計数を終えた計数済みパチンコ玉は集合樋１８上に排出され、この集合樋１８上を転動して揚送研磨装置４０へと案内されるようになっている。しかし、ときには、この各パチンコ機３０，３０・・などから排出されたパチンコ玉が集合樋１８上に落下する際に、何らかの原因で島内に跳ね落ちてしまうこともある。
【００３２】
前記集合樋１８は、島１００内部の下部に設けた貯蔵タンク２０の中空部に配置されている。貯蔵タンク２０は、島１００の下方位置に集合樋１８に沿ってパチンコ玉揚送研磨装置４０の上流位置まで連接され、その底面は島１００の両端から中央に向かって漸次低くなるように連続に傾斜している。貯蔵タンク２０の最下流にはミニリフト２２が配置されている。このミニリフト２２は、集合樋１８から溢れて貯蔵タンク２０に落下した遊技済みパチンコ玉を再び集合樋１８まで揚送するようになっている。集合樋１８まで揚送されたパチンコ玉は、この集合樋１８の下降傾斜によって下流側の異物排除装置４４までガイドされるようになっている。
【００３３】
【こぼれ玉回収機構の実施の形態】
一方、遊技場内のフロア−や島内におけるパチンコのこぼれ玉は、これまで通常は遊技場係員の手作業で回収されていたことについては、既に述べたとおりであるが、本発明では、前述の係員の手作業によるパチンコ玉回収を次のようなパチンコ玉の回収機構により改善したものである。
【００３４】
本実施形態では、図１に概略構成で示すように、パチンコ島１００の下部に配置された腰板１５，１５の周囲を循環するようにフロア−面に沿って玉こぼれ回収装置が設置されている。
【００３５】
図１から図８において、１００はパチンコ台の島。１は電磁石、２は消磁コイル、３はこぼれ玉回収用のパチンコ玉回収箱、４はゴミ回収箱、５は取手、６はガイド部材、７は薄膜フィルム等の仕切材である。８はパチンコ玉回収筒、９は電磁石型コンベヤで、複数の電磁石１，１・・を互いに隣接させて島１００の両端間に沿いその最下端部で帯状に単列又は複列で延設されて形成されるものである。１４は膳板、１５は腰板、１７は妻板、３０はパチンコ機である。
【００３６】
本実施の形態において、玉こぼれ回収装置は、島１００の腰板１５，１５の最下部両側に配置された巾木１６に沿い、複数の電磁石１，１・・を互いに隣接させて島１００の両端間に沿いその最下端部で帯状に電磁石型コンベヤ９を配設し、図４に示すように、電磁石１，１・・に対して個々に順送りに電流の通電を断続して流すことにより励磁と解磁を行なわせ、磁性物に対する磁気による付着力又は吸引力を順次に断続させて各電磁石に磁性物であるパチンコ玉への磁力吸引による搬送力を付与し、これにより、パチンコのこぼれ玉を前記電磁石型コンベヤ９に付着又は転動誘導させつつ搬送移動し、島１００の適宜個所、例えば島の一隅において前記電磁石型コンベヤ９に誘導されて搬送されたパチンコ玉を、その適宜個所における終端位置の電磁石１への吸引後の通電のオフで解磁すること（励磁を解くこと）により、パチンコ玉の転動慣性を利用し、図５に示すように、該電磁石１に隣接して配置されたフロア−面上に設置したパチンコ玉回収容器（パチンコ玉回収筒８）へ自動的に回収するように構成したものである。このパチンコ玉回収筒８のこぼれ玉入口部にはパチンコ玉を消磁する消磁手段が適宜配設されている。あるいは、この構造とは別に、図６に示すように、パチンコ玉の転動慣性及び自重を利用し、該電磁石１から下方へガイド部材６によりガイドして落下させ、これを自動的にパチンコ玉回収容器（又はパチンコ玉回収箱３）へ回収するように構成してもよいものである。こぼれ玉の効率的な回収機構としては、電磁石型コンベヤ９の端末の電磁石１から下方へガイドしてパチンコ玉の自重を利用して落下させる形式の回収機構が有利であると考えられる。なお、パチンコ玉の転動慣性力よりも電磁石１の付着力が強く、前記ガイド部材６への慣性又は自重による落下が十分でない場合は、適宜の掻き落し手段を併用するとよい。
【００３７】
本実施の形態では、島１００の両側の最下部の巾木１６に沿って、島１００の両端の妻板１７，１７間に電磁石型コンベヤ９が配設され、一方の妻板１７側又は両端の側に配置された各妻板１７，１７の下方にこぼれ玉回収部が配置されているものである。
【００３８】
玉こぼれ回収装置の構成としては、巾木１６と妻板１７との接合部分における電磁石型コンベヤ９の最外端部の電磁石１の下部において、前記ガイド部材６の下にフロア−に回収装置を収納する穴１１を設け、該穴１１内にパチンコのこぼれ玉を回収する玉こぼれ回収容器を設置する。本実施形態では、一方の妻板１７の下方に沿って玉こぼれ回収装置を配置した例を図６に示しているが、この例に限らず、玉こぼれ回収装置は、妻板１７と巾木１６との接合部分である島の隅部に配設してもよいものである。
【００３９】
この他の玉こぼれ回収装置の構成としては、前記電磁石型コンベヤ９の配設を島１００の一側のみとし、その両端の妻板間に電磁石型コンベヤ９が配設されるようにしたものでもよく、島両端間に限らず、所要部分間のみに配設してもよいものである。この場合、前記電磁石型コンベヤ９の搬送方向を、玉こぼれ回収部に向けて、例えば、左右の両方向から玉こぼれ回収部に集中するように設けてもよいものである。
【００４０】
また、電磁石型コンベヤ９の駆動手段は、図４に示すように、電磁石１，１・・に対して順次に通電をオン・オフ（励磁と解磁）させて各電磁石１，１・・に磁性体であるパチンコ玉への磁力吸引の搬送力を付与することにより、パチンコのこぼれ玉を前記電磁石型コンベヤ９に転動誘導させて搬送移動させるように構成したものである。
【００４１】
そして、前記電磁石型コンベヤ９の表面保護には、図４に示すように、電磁石型コンベヤ９のパチンコ玉の付着面側に薄膜フィルム等の仕切材７を設けると、パチンコ玉の付着による傷や汚れを防止することができるので、電磁石型コンベヤ９の表面を保護することができ、また磁気付着力の減衰を防止することができて好都合である。
【００４２】
本実施の形態の玉こぼれ回収装置においては、パチンコの玉こぼれ回収部は、島１００の最下部の一隅に配置するもので、一方の妻板１７と巾木１６の接合部に設置し、こぼれ玉が１ヶ所に集められるように構成している。図５ないし図８においては、玉こぼれ回収装置は、島１００の腰板１５下部の巾木１６と妻木１７の接合部分にあたる位置に、パチンコ玉回収容器をフロア−床下の穴１１の底に載置するように設置した例を示しているものである。
【００４３】
図６に示す実施の形態では、パチンコ玉回収容器は、パチンコ玉回収箱３がゴミ回収箱４内に収容された構造のものを示している。この前記ゴミ回収箱４は、丸型又は角型の有底筒状体からなり、該ゴミ回収箱４内の上方に、ゴミ収容空間が確保可能となるような位置に、パチンコ玉回収箱３が収容保持されている。そして、このパチンコ玉回収箱３の外周上部には係員の回収作業の便のため取手５が設けられている。なお、消磁手段が前記ガイド部材６に設けられていない例の場合は、該パチンコ玉回収箱３の内部上方には消磁コイル２が配置されたものを使用するようになされている。
【００４４】
なお、パチンコ玉回収容器は、図示の実施の形態では、パチンコ玉回収箱３とゴミ回収箱４とから成るものを説明しているが、パチンコ玉回収箱３単体のみでも勿論よい。
【００４５】
そして、このパチンコ玉回収容器を設置する個所において、玉こぼれ回収装置の電磁石型コンベヤ９の最端部に配置された電磁石１に隣接して又はその直下部に設置されるものである。該最端部の電磁石１の隣接部又は直下部には、ガイド部材６が形成されており、そのガイド部材６に連なってこぼれ玉回収容器が配設されている。
【００４６】
なお、前記電磁石型コンベヤ９の最端部の電磁石１には、前記したように、パチンコ玉を電磁石１から掻き落とすための掻き落し手段として、例えば不図示の分離ブラシを配設してもよい。この分離ブラシを設けると、電磁石型コンベヤ９より搬送されてきたこぼれ玉を効率良く掻き落すことができる。このパチンコ玉掻き落し手段としての分離ブラシは、平板状の本体と該本体の少なくとも一方の面に植設されたブラシ体とから成るものが考えられる。電磁石型コンベヤ９に付着されて搬送されてきたこぼれ玉は、このブラシ体により掻き落されるようにする。このようなパチンコ玉掻き落し手段としては、該分離ブラシのものに限らず、スポンジ状のものや織布、不織布製のものなど他の形態のものでも良いことは勿論である。
【００４７】
この玉こぼれ装置の設置部は、島１００内でのパチンコ機の調整やパチンコ玉の補給機構のメンテナンスなど、他の作業の邪魔にならないように、腰板１５，１５の下方位置に配設されるものであり、島１００の隅部又は中央部など、適宜個所に設置するものであり、その設置した穴１１の上を金網などで蓋をしてある。
【００４８】
本実施の形態の玉こぼれ回収装置によるこぼれ玉の回収について説明すると、遊技場内の通路部分のフロア−に散乱するパチンコのこぼれ玉を遊技場の係員らが腰板１５の方へと押しやるとことにより、電磁石型コンベヤ９にこぼれ玉を付着させると、パチンコのこぼれ玉は電磁石１に付着した後、電磁石型コンベヤ９により転動誘導されつつ、例えば、前記妻木１７付近に設置されたこぼれ玉装置の設置部のところまで搬送されるものである。なお、電磁石型コンベヤ９は、公知の手段により電磁石１，１・・への電流をオン・オフすることにより、磁性の励磁と解磁を行なわせる電磁石の特性を利用して、パチンコ玉を順次転動移動させて搬送するものである。
【００４９】
この電磁石型コンベヤ９の搬送路は、腰板１５下部の巾木１６の下端から該電磁石型コンベヤ９が臨めるように形成するか、又は巾木１６に換えて配設してもよいものであるが、少なくとも遊技場の通路のフロア−面と該電磁石型コンベヤ９の下端部の面とが近接又は同じレベルにし、こぼれ玉が付着して搬送が可能な形態のものでありさえすれば良いものである。好ましい例は、フロアー面をやや掘り下げて、巾木１６の下側にコンベヤの通路溝を形成し、電磁石型コンベヤ９の下端面がフロア−面よりも下方に位置するように形成することが望ましい。あるいは、この形態とは別に、フロア−面の島と島の間を山高に形成して、パチンコのこぼれ玉が傾斜を転がって、それぞれの島の前記コンベヤの通路溝又は該溝を形成しない場合は前記巾木１６の方向へと、自然に転動するようにフロアーを形成すると、本実施形態のこぼれ玉回収装置の設置によるこぼれ玉回収の作用効果は倍化されるものである。
【００５０】
そして、島１００の隅角部に設けられたパチンコ玉装置の設置部まで電磁石型コンベヤ９で誘導搬送されてきた前記パチンコのこぼれ玉を慣性によりパチンコ玉回収筒８へ収容する。あるいは、電磁石型コンベヤ９で誘導搬送されてきた前記パチンコのこぼれ玉を自重により或いは掻き落としによりガイド部材６の傾斜部又は垂直部へ落下させ、その下方に設置されたパチンコ玉回収容器内に落下させて、こぼれ玉と該こぼれ玉に付着したゴミ等とを分離しつつ収容するものである。その後、こぼれ玉等が溜まった段階、又は遊技場の閉店後の清掃作業の段階でパチンコ玉回収箱３又はゴミ回収箱４或いはパチンコ玉回収筒８から、回収玉とゴミ等とを取り出して、それぞれ適宜処分するようにしたものである。
【００５１】
図８に示すように、前記ゴミ回収箱４内に収容保持されるパチンコ玉回収箱３は、その底部が段差状に形成されているものである。このパチンコ玉回収箱３は、その中間深さ部分の棚部と底部との間に段差をもち、該棚部と底部とはパチンコ玉の落下を受ける面がスノコ状又は網目状に形成されているものである。該パチンコ玉回収箱３の前記棚部と底部とは閉塞されず、網目等により下方へ向かって開放された構造に形成されている。したがって、こぼれ玉に付着したゴミ等がパチンコ玉から分離されて、該パチンコ玉回収箱３より更に下方に配置されるゴミ回収箱４へと落下することを許容するように形成されているものである。また、前記棚部はスノコ状又は網目状の棚で傾斜配置されているものであるため、その傾斜により案内されるパチンコ玉が下方側の底部にガイドされて、１ヶ所にパチンコ玉が滞留に留まらないようにされている。なお、前述したように、上記ゴミ回収箱４を使用しないで、パチンコ玉回収箱３のみを用いてこぼれ玉を回収する場合は、底部はスノコ状又は網目状に形成する必要はない。
【００５２】
このパチンコ玉回収箱３の構造により、回収されたパチンコ玉は前記棚部の傾斜に沿ってパチンコ玉が案内され、下方に位置する前記底部へと落とし込むように作用するものである。この棚部及び底部は、スノコ状又は網目状に形成されていることにより、こぼれ玉に付着したゴミ等を落下による衝撃でパチンコ玉から分離する構造となっている。このスノコ状又は網目状の目のサイズは、パチンコ玉の径よりも狭いサイズとしたものである。
【００５３】
前記電磁石型コンベヤ９から落下したこぼれ玉及び付着した磁性体のゴミ等は帯磁しており、そのまま放置することは好ましくないため、パチンコ玉回収箱３内の前記消磁コイル２を通過する段階で該消磁コイル２により磁気を除去する。
【００５４】
このパチンコ玉回収箱３は、前記スノコ状又は網目状の棚部の上部に前記消磁コイル２を一体的に備えるものでも良いし、該消磁コイル２を別体に備えるものであってもよい。また該消磁コイル２の部分で一時滞留させるように形成した斜交棚等を通過させるように構成して消磁してもよい。
【００５５】
また、上記したように消磁コイル２による消磁後も回収したパチンコ玉には、ゴミ等が付着しているため、前記パチンコ玉回収箱３のスノコ状又は網目状の棚部及び底部に落下させてその際の衝撃作用によりパチンコ玉とゴミ等を分離し、ゴミ等だけをパチンコ玉回収箱３の更に下方に設置したゴミ回収箱４の底部へと落下させてゴミ等を分離回収するものである。したがって、こぼれ玉であるパチンコ玉は、概ねゴミ等が分離された状態で前記パチンコ玉回収箱３の底に収容されて回収されるものである。
【００５６】
かくして、パチンコのこぼれ玉がある程度前記パチンコ玉回収箱３内に溜まった段階、又は遊技場の閉店後の段階で、電磁石型コンベヤ９の運転を止めた後、取手５を引き起こして前記パチンコ玉回収箱３を前記ゴミ回収箱４から取り出してパチンコ玉を回収し、前記パチンコ台の島１００内の前記パチンコ玉揚送研磨機４０又は異物排除装置４４へと移し替えるものである。
【００５７】
一方、ゴミ回収箱４内のゴミ等に関しては、パチンコ玉回収箱３の取り出し後、その場において或いは他の場所まで該ゴミ回収箱４を手作業により持って行き、掃除機等により清掃するようにしたものである。
【００５８】
さらに、本実施形態の変形例として、島１００内のこぼれ玉をも回収可能なように、玉こぼれ回収装置を設置する必要がある場合には、腰板１５下部の巾木１６の下部に電磁石型コンベヤ９を臨ませ、該電磁石型コンベヤ９の裏面側或いは下端部に直接こぼれ玉を付着するように形成するか、又は前記フロア−面に形成した電磁石型コンベヤ９の通路溝に島内のこぼれ玉を落とし込むように島内のフロア−面を山高に形成し、該通路溝内に落とし込まれたこぼれ玉を電磁石型コンベヤ９に付着させるように形成するなど、適宜の措置を講ずることが考えられる。
【００５９】
また、こぼれ玉消磁手段の別の変形例として、こぼれ玉の消磁手段は、前記消磁コイル２をパチンコ玉回収容器の中でなく、慣性又は自重による落下或いは前記分離ブラシにより掻き落とされて落下したこぼれ玉がガイド部材に設ける消磁コイルを通過する際に消磁するように構成してもよい。この場合は、上記パチンコ玉回収用の容器は、前記島１００の隅部に形成した所定の穴１１内に適宜配設されるものであるから、こぼれ玉をパチンコ玉回収容器へガイドする途中に配設したガイド部材６の筒状部は、図７に示すように、例えばジョウロ状に形成した筒状部に消磁コイル２を配設し、消磁するように構成する。このため、電磁石型コンベヤ９から落下するパチンコ玉は、該消磁コイル２の通過中に消磁され、さらに下方に配置されたパチンコ玉回収容器へと落下させるようにして回収するものである。
【他の実施例】
本発明は、上記実施形態及び変形例に限定されるものではなく、例えば次のように変更して実施することも可能である。
【００６０】
実施例１．  請求項１ないし請求項５のいずれかの玉こぼれ回収箱において、前記パチンコ玉回収箱は、その底部がスノコ状又は網目状の非閉塞底部に形成されているこぼれ玉回収装置。
【００６１】
（作用）
該構成により、パチンコのこぼれ玉を前記磁性搬送手段に付着又は転動誘導させつつ搬送移動し、島の適宜個所において前記磁性搬送手段で搬送されたパチンコ玉を自重により消磁後のパチンコ玉やゴミ等をスノコ状又は網目状の底部に落下させることにより、こぼれ玉に付着したゴミ等を落下による衝撃でパチンコ玉から分離すると共に、該パチンコ玉回収箱の非閉塞底部から更に下方へ落下させることができるようすると共に、回収されるパチンコ玉だけを該パチンコ玉回収箱で取り出すことができる。
【００６２】
実施例２．  請求項１ないし請求項５のいずれかの玉こぼれ回収装置において、前記パチンコ玉回収箱の底部は、段差が設けられている玉こぼれ回収装置。
【００６３】
（作用）
該構成により、パチンコのこぼれ玉を前記磁性搬送手段に付着又は転動誘導させつつ搬送移動し、島の適宜個所において前記磁性搬送手段で搬送されたパチンコ玉を慣性又は自重により、消磁後のこぼれ玉に付着したゴミ等を該パチンコ玉回収箱の底部に落下させた衝撃によりパチンコ玉から分離すると共に、この衝撃をこぼれ玉に対して上段と下段とからなる前記段差により２度付与することができるようにしたので、ゴミ等の分別分離を一層効率良く促進させることができる。
【００６４】
実施例３．  請求項１ないし請求項５のいずれかの玉こぼれ回収装置において、前記パチンコ玉回収箱の底部において、前記段差の上段の底部は下段の底部へ向かう下降傾斜が形成されているこぼれ玉回収装置。
【００６５】
（作用）
該構成により、パチンコのこぼれ玉を前記磁性搬送手段に付着又は転動誘導させつつ搬送移動し、島の適宜個所において前記磁性搬送手段で搬送されたパチンコ玉を慣性又は自重により、消磁後のこぼれ玉に付着したゴミ等を該パチンコ玉回収箱の底部に落下させた衝撃によりパチンコ玉から分離すると共に、こぼれ玉に対して上段と下段とからなる前記段差により、この衝撃を２度付与することができるようにしたので、ゴミ等の分別分離を一層効率良く促進させることができ、かつ、上段の底部はスノコ状の網目の棚で傾斜配置されているものであるため、その傾斜により案内されるパチンコ玉が下段側にガイドされて、１ヶ所にパチンコ玉が滞留に留まらないようにしたから、常に新しいこぼれ玉の落下を受けることができるので、こぼれ玉に付着したゴミ等の分別分離を一層効率良く促進させることができる。
【００６６】
【発明の効果】
本発明は、次の効果を奏するものである。
１．本発明により、こぼれ玉を従来のようにいちいち全て手作業による面倒な回収作業を、磁気搬送手段を用いることにより、いちいちパチンコ玉等を拾い上げる手作業を無くし、遊技場通路のフロア−上に散乱するパチンコ玉を迅速且つ簡便に回収できるようになるため、ホールスタッフの作業を軽減することができる。
２．本発明により、パチンコのこぼれ玉をの磁気搬送手段にて搬送移動し、島の適宜個所において搬送されたパチンコ玉をパチンコ玉回収容器へ収容し、効率良く自動的に回収することができる。
３．本発明により、パチンコのこぼれ玉を磁気搬送手段にて搬送移動し、島の適宜個所において前記磁気搬送手段にて搬送されたパチンコ玉・ゴミ等を慣性又は自重或いは分離ブラシ等によりパチンコ玉回収容器に収容又は落下させ、落下させたパチンコ玉は磁性ゴミ等をも一緒に、又は分別して自動的に回収することができる。
４．本発明により、パチンコのこぼれ玉を前記磁気搬送手段にて搬送移動し、島の適宜個所において前記磁気搬送手段にて搬送されたパチンコ玉を落下し又は掻き落し、消磁後のこぼれ玉に付着したゴミ等をパチンコ玉回収箱の底部に落下させて、その衝撃によりパチンコ玉から分離すると共に、こぼれ玉の落下受け面に段差を設けることにより、その衝撃を２度付与することができるようにしたので、ゴミ等の分別分離を一層効率良く促進させることができる。
５．本発明により、パチンコのこぼれ玉を磁気搬送手段にて搬送移動し、島の適宜個所において磁気搬送手段にて搬送されたパチンコ玉を落下し又は掻き落し、消磁後のこぼれ玉に付着したゴミ等をパチンコ玉回収箱の底部に落下させる衝撃によりパチンコ玉から分離すると共に、こぼれ玉の落下受け面に段差を形成したので、その衝撃を２度付与することで、ゴミ等の分別分離を一層効率良く促進させることができ、かつ、こぼれ玉の落下受け面の段差の上段の底部をスノコ状又は網目状の棚で傾斜配置することにより、落下するパチンコ玉が下方側にガイドされて、１ヶ所にパチンコ玉が滞留に留まらないようにしたので、上段の棚は常に新しいこぼれ玉の落下を受けることができ、こぼれ玉に付着したゴミ等の分別分離を一層効率良く促進させることができる。
【図面の簡単な説明】
【図１】パチンコ台の島の全体概略図である。
【図２】本実施形態の島要部の斜視説明図である。
【図３】パチンコ台の島の断面図である。
【図４】電磁石型コンベヤの説明図である。
【図５】玉こぼれ回収装置の説明図である。
【図６】他の玉こぼれ回収装置の説明図である。
【図７】他の実施形態の説明図である。
【図８】パチンコ玉回収容器の説明図である。
【符号の説明】
１００        島
１        電磁石
２        消磁コイル
３        パチンコ玉回収箱
４        ゴミ回収箱
５        取手
６        ガイド部材
９        電磁石型コンベヤ
３０        パチンコ機
【図１】
2004167118.tif 000003
【図２】
2004167118.tif 000004
【図３】
2004167118.tif 000005
【図４】
2004167118.tif 000006
【図５】
2004167118.tif 000007
【図６】
2004167118.tif 000008
【図７】
2004167118.tif 000009
【図８】
2004167118.tif 000010